(57)【要約】  トレイは、基板部、第１側壁部から第６側壁部、及び第１カップホルダー部を備えている。前記側壁部は、前記基板部から垂直に延びている。二つの第５側壁部のそれぞれが、前記第２側壁部の側端縁から垂直に曲げられて延びており、前記第１側壁部又は前記第３側壁部の一部と重なり且つ固定されるように配され、第１コーナー及び第２コーナーを形成している。同様にして、二つの第６側壁部が設けられている。前記第１カップホルダー部は、前記第１側壁部及び前記第２側壁部の間の前記第１コーナーに配されており、前記第２側壁部及び前記第５側壁部にわたって水平切抜きを備えており、該水平切抜きが内側に押されてカップ保持スペースを形成する。前記第１カップホルダー部の前記水平切欠きは、前記第１コーナーの中間高さ部を通して配されている。【選択図】図２
2019531232.tif 000002
【特許請求の範囲】
【請求項１】
矩形状であり且つ上面、底面及び第１端縁から第４端縁を含む基板部と、
前記基板部の前記第１端縁から垂直に延びている第１側壁部と、
前記基板部の前記第２端縁から垂直に延びている第２側壁部と、
前記基板部の前記第３端縁から垂直に延びている第３側壁部と、
前記基板部の前記第４端縁から垂直に延びている第４側壁部と、
二つの第５側壁部であって、それぞれが前記第２側壁部の側端縁から垂直に曲げられて延びており、前記第１側壁部又は前記第３側壁部の一部と重なり且つ固定されるように配され、第１コーナー及び第２コーナーを形成している、二つの第５側壁部と、
二つの第６側壁部であって、それぞれが前記第４側壁部の側端縁から垂直に曲げられて延びており、前記第１側壁部又は前記第３側壁部の一部と重なり且つ固定されるように配され、第３コーナー及び第４コーナーを形成している、二つの第６側壁部と、
前記第１側壁部及び前記第２側壁部の間の前記第１コーナーに配されており、前記第２側壁部の一部及び前記第５側壁部の一部にわたって水平切抜きを備えた第１カップホルダー部であって、該水平切抜きが内側に押されてカップ保持スペースを形成する、第１カップホルダー部と、を備えたトレイであって、
前記第１カップホルダー部の前記水平切抜きが、前記第１コーナーの中間高さ部を通して配されており、
前記水平切抜きは、前記第５側壁部から延びている第１区画と、前記第２側壁部から延びている第２区画と、前記第１区画及び前記第２区画をつなぐ第３区画とを備えている、トレイ。
【請求項２】
前記第１側壁部から前記第６側壁部が、同じ高さである、請求項１に記載のトレイ。
【請求項３】
前記水平切抜きが、前記第２側壁部の高さの約３分の１の幅を有している、請求項２に記載のトレイ。
【請求項４】
前記水平切抜きが前記第１側壁部及び前記第５側壁部に引っ込められたとき、前記水平切抜きの前記第１区画と前記第３区画との間の境界が、前記第１側壁部と前記第２側壁部との間の端部側にある、請求項１に記載のトレイ。
【請求項５】
前記第２区画及び前記第３区画の間、前記第２側壁部及び前記第２区画の間、並びに前記第５側壁部及び前記第１区画の間に、折曲線が設けられている、請求項４に記載のトレイ。
【請求項６】
前記水平切抜きが前記第１側壁部及び前記第５側壁部に引っ込められたとき、前記水平切抜きの前記第２区画と前記第３区画との間の境界が、前記第１側壁部と前記第２側壁部との間の端部側にある、請求項１に記載のトレイ。
【請求項７】
前記第１側壁部の内側部分上の第１広告表面であって、前記第１カップホルダーが展開されたときに露出し、前記第１カップホルダーが引っ込められたときに隠れる、第１広告表面と、
前記第５側壁部の外側部分上の第２広告表面であって、前記第１カップホルダーが展開されたときに露出し、前記第１カップホルダーが引っ込められたときに隠れる、第２広告表面と、
をさらに備えている請求項１に記載のトレイ。
【請求項８】
前記第１側壁部の内側表面が、接着剤によって前記第５側壁部の外側表面に固定されている、請求項１に記載のトレイ。
【請求項９】
二つの固定板部をさらに備えており、該二つの固定板部のそれぞれは、前記第１側壁部又は前記第３側壁部の上端縁から延びており、前記第１側壁部又は前記第３側壁部並びに前記第５側壁部及び前記第６側壁部に折り重なっており、前記第１側壁部又は前記第３側壁部を前記第５側壁部及び前記第６側壁部に固定している、請求項１に記載のトレイ。
【請求項１０】
前記二つの固定板部のそれぞれが、二つの係止突出部を備えており、該二つの係止突出部のそれぞれは、前記固定板部の側端縁において横に突き出しており、前記第１コーナー又は前記第４コーナーにおける前記第２側壁部及び前記第４側壁部を貫いて設けられたスリットに挿入されるように構成されている、請求項９に記載のトレイ。
【請求項１１】
前記固定板部の下端縁から切り抜かれて垂直に配された二つの積み重ね突出部と、
前記第１側壁部又は前記第３側壁部の下端縁に設けられた二つの積み重ねスリットと、をさらに備え、
前記積み重ね突出部が、積み重ねられる別のトレイの前記積み重ねスリットに挿入されるように構成されており、複数のトレイの垂直の積み重ねを安定させる、請求項９に記載のトレイ。
【請求項１２】
二つの側方ハンドホールをさらに備え、側方ハンドホールのそれぞれは、二つの対面する側壁部のうちの対応する一つを貫いて設けられている、請求項１に記載のトレイ。
【請求項１３】
二つの底ハンドホールをさらに備え、該底ハンドホールのそれぞれは、使用者が親指を一つの側方ハンドホールに挿入し且つ別の指を対応する底ハンドホールに挿入して前記トレイを安定に保持するように構成するために、前記基板部を貫いて設けられている、請求項１２に記載のトレイ。
【請求項１４】
前記二つの側方ハンドホール及び前記二つの底ハンドホールそれぞれが、完全な穴又は部分的な切抜きによって設けられている、請求項１３に記載のトレイ。
【請求項１５】
前記トレイが平らに折り畳まれるように、二つの対面する側壁部それぞれに二本ずつ合計四本の折曲線をさらに備え、各折曲線が、対応する下側のコーナーから対応する上端縁にまで約４５°で設けられている、請求項１に記載のトレイ。
【請求項１６】
第２コーナー、第３コーナー又は第４コーナーに、第２カップホルダー部、第３カップホルダー部又は第４カップホルダー部をさらに備えている、請求項１に記載のトレイ。
【発明の詳細な説明】
【技術分野】
【０００１】
関連出願
本出願は、２０１６年６月２０日に「Container Box（容器箱）」として出願された米国仮出願番号第６２／３５２，５３７号及び２０１６年９月９日に「Tray with Cupholders and Hand-holes（カップホルダーとハンドホールとを備えたトレイ）」として出願された米国仮出願番号第６２／３８５，９２３号に属する非仮出願である。
【０００２】
本発明は、カップホルダーとハンドホールとを備えたトレイに関する。
【背景技術】
【０００３】
現代社会における多くの状況において食べ物を簡便に運搬するために、通常、容器が必要とされる。  
【発明の概要】
【発明が解決しようとする課題】
【０００４】
しかしながら、容器に入れて食べ物を運搬することは、種々の食べ物及び環境に関わり得るため、容器の最適化又は改善が必要となる。
【０００５】
従って、長い間、日常生活における需要の広がりを考慮したトレイのニーズが存在している。本発明は、このような問題を解決し、長年にわたるニーズを満足させることを目的とする。
【課題を解決するための手段】
【０００６】
本発明は、従来技術の欠点を解決することを考案する。
【０００７】
本発明の一態様は、トレイを提供する。
【０００８】
前記トレイは、基板部、第１側壁部から第６側壁部及び第１カップホルダー部を備えている。
【０００９】
前記基板部は、矩形状であり且つ上面、底面及び第１端縁から第４端縁を含んでいる。
【００１０】
前記第１側壁部は、前記基板部の前記第１端縁から垂直に延びており、第２側壁部は、前記基板部の前記第２端縁から垂直に延びており、第３側壁部は、前記基板部の前記第３端縁から垂直に延びており、第４側壁部は、前記基板部の前記第４端縁から垂直に延びている。
【００１１】
二つの第５側壁部それぞれが、前記第２側壁部の側端縁から垂直に曲げられて延びており、前記第１側壁部又は前記第３側壁部の一部と重なり且つ固定されるように配され、第１コーナー及び第２コーナーを形成している。
【００１２】
二つの第６側壁部それぞれが、前記第４側壁部の側端縁から垂直に曲げられて延びており、前記第１側壁部又は前記第３側壁部の一部と重なり且つ固定されるように配され、第３コーナー及び第４コーナーを形成している。
【００１３】
前記第１カップホルダー部は、前記第１側壁部及び前記第２側壁部の間の前記第１コーナーに配されており、前記第２側壁部の一部及び前記第５側壁部の一部にわたって水平切抜きを備えており、該水平切抜きが内側に押されてカップ保持スペースを形成する。
【００１４】
前記第１カップホルダー部の前記水平切抜きは、前記第１コーナーの中間高さ部を通して配されており、前記第５側壁部から延びている第１区画と、前記第２側壁部から延びている第２区画と、前記第１区画及び前記第２区画をつなぐ第３区画とを備えている。
【００１５】
前記第１側壁部から第６側壁部は、同じ高さであってもよい。
【００１６】
前記水平切抜きは、前記第２側壁部の高さの約３分の１の幅を有していてもよい。
【００１７】
前記水平切抜きが前記第１側壁部及び前記第５側壁部に引っ込められたとき、前記水平切抜きの前記第１区画と前記第３区画との間の境界が、前記第１側壁部と前記第２側壁部との間の端部側にあってもよい。
【００１８】
折曲線が、前記第２区画及び前記第３区画の間、前記第２側壁部及び前記第３区画の間並びに前記第５側壁部及び前記第１区画の間に設けられてもよい。
【００１９】
代わりに、前記水平切抜きが前記第１側壁部及び前記第５側壁部に引っ込められたとき、前記水平切抜きの前記第２区画と前記第３区画との間の境界が、前記第１側壁部と前記第２側壁部との間の端部側にあってもよい。
【００２０】
前記トレイは、第１広告表面及び第２広告表面をさらに備えていてもよい。
【００２１】
前記第１広告表面は、前記第１側壁部の内側部分に配されており、該第１広告表面は、前記第１カップホルダーが展開されたときに露出し、前記第１カップホルダーが引っ込められたときに隠れる。
【００２２】
前記第２広告表面は、前記第５側壁部の外側部分に配されており、該第２広告表面は、前記第１カップホルダーが展開されたときに露出し、前記第１カップホルダーが引っ込められたときに隠れる。
【００２３】
前記第１側壁部の内側表面は、接着剤によって前記第５側壁部の外側表面に固定されてもよい。
【００２４】
前記トレイは、二つの固定板部をさらに備えていてもよく、各固定板部は、前記第１側壁部又は前記第３側壁部の上端縁から延びており、前記第１側壁部又は前記第３側壁部並びに前記第５側壁部及び前記第６側壁部に折り重なっており、前記第１側壁部又は前記第３側壁部を前記第５側壁部及び前記第６側壁部に固定している。
【００２５】
前記二つの固定板部それぞれは、二つの係止突出部を備えていてもよく、各係止突出部は、前記固定板部の側端縁において横に突き出しており、前記第１コーナー又は前記第４コーナーにおける前記第２側壁部及び前記第４側壁部を貫いて設けられたスリットに挿入されるように構成されている。
【００２６】
前記トレイは、二つの積み重ね突出部及び二つの積み重ねスリットをさらに備えていてもよい。
【００２７】
前記二つの積み重ね突出部それぞれは、前記固定板部の下端縁から切り抜かれており、垂直に配されている。
【００２８】
前記二つの積み重ねスリットそれぞれは、前記第１側壁部又は前記第３側壁部の下端縁に設けられている。
【００２９】
前記積み重ね突出部は、積み重ねられる別のトレイの前記積み重ねスリットに挿入されるように構成されており、複数のトレイの垂直な積み重ねを安定させる。
【００３０】
前記トレイは、二つの側方ハンドホールをさらに備えていてもよく、各側方ハンドホールは、二つの対面する側壁部のうちの対応する一つを貫いて設けられている。
【００３１】
前記トレイは、二つの底ハンドホールを備えていてもよく、各底ハンドホールは、使用者が親指を一つの側方ハンドホールに挿入し且つ別の複数の指を対応する底ハンドホールに挿入して前記トレイを安定に保持させるように構成するために、前記基板部を貫いて設けられている。
【００３２】
前記二つの側方ハンドホール及び前記二つの底ハンドホールそれぞれは、完全な穴によって設けられてもよく、部分的な切抜きによって設けられてもよい。
【００３３】
前記トレイは、二つの対面する側壁部それぞれに二本ずつ合計四本の折曲線をさらに備えていてもよく、各折曲線は、前記トレイが平らに折り畳まれるように、対応する下側のコーナーから対応する上端縁までに約４５°で設けられている。
【００３４】
本発明の利点は、（１）本発明に係るトレイが、最小量の材料で作製されるにもかかわらず非常に強いこと、（２）本発明に係るトレイが、多くの構造的特徴によって多くの用途を可能にすることである。
【００３５】
本発明が簡潔に要約されたが、本発明のより完全な理解は、以下の図面、詳細な説明及び添付された特許請求の範囲によって達成され得る。
【図面の簡単な説明】
【００３６】
本発明のこれらの及び他の特徴、態様及び利点は、添付図面の参照によってより理解されることとなる。
【００３７】
【図１】図１は、本発明の一実施形態に係る、アルミニウム箔容器を備えたトレイを示す図である。
【図２】図２は、本発明の別の実施形態に係る、中に三つのカップを備えたトレイを示す図である。
【図３】図３は、本発明の一実施形態に係るカップホルダーを外側から示す図である。
【図４】図４は、本発明の一実施形態に係る部分的に折り畳まれたトレイを示す図である。
【図５】図５は、本発明の一実施形態に係る、外側から見た際の、展開されたカップホルダーを備えたトレイのコーナーを示す図である。
【図６】図６は、本発明の一実施形態に係る、内側から見た際の、展開されたカップホルダーを備えたトレイのコーナーを示す別の図である。
【図７】図７は、本発明の一実施形態に係る、複数のカップホルダー及び複数のハンドホールを備えたトレイを示す図である。
【図８】図８は、図２０の複数のカップホルダー及び複数のハンドホールを備えた折り畳み可能なトレイの別の斜視図であり、該トレイが半分折り畳まれている。
【図９】図９は、図２０の複数のカップホルダー及び複数のハンドホールを備えた折り畳み可能なトレイの別の斜視図であり、該トレイが完全に折り畳まれている。
【発明を実施するための形態】
【００３８】
２０１６年６月２０日に「Container Box（容器箱）」として出願された米国仮出願番号第６２／３５２，５３７号及び２０１６年９月９日に「Tray with Cupholders and Hand-holes（カップホルダーとハンドホールとを備えたトレイ）」として出願された米国仮出願番号第６２／３８５，９２３号は、任意の全ての目的で参照によって本明細書に組み込まれる。
【００３９】
参照符号により、本発明の実施形態が詳細に説明される。
【００４０】
図１〜６は、本発明の実施形態に係る、複数のカップホルダーと複数のハンドホールとを備えたトレイを示す。実際に、図１〜６に示されたトレイは、トレイにおける二つの対面する側壁部に配されたハンドホールを有している。
【００４１】
図１、２及び３に示されるように、前記トレイは、トレイ及びカップホルダーのアイデアを兼ね備えており、レストラン又はケータリング業において便利に使用され得る。
【００４２】
図２に示されるように、本発明に係るトレイは、トレイ及びカップホルダーの機能のための部分を有しているため、使用者は、それらを個別に購入する必要がない。前記トレイの中央領域は、トレイとして使用され得、一方、前記カップホルダーは、前記トレイの複数のコーナーに設けられる。加えて、同じ理由により、製造及び購入コストが節約される。
【００４３】
さらに、図４、８及び９に示されるように、前記トレイは折り畳み可能であるため、レストランにおける保管スペースが節約される。前記トレイは、互いの上に積み重ね可能である。そのため、食べ物の配達が簡単で効率的になり得る。
【００４４】
前記カップホルダー部は、引っ込み可能に４つのコーナーに設けられているため、製造するための余分な材料コストがかからない。
【００４５】
頂点からの押し込みが側壁部においてなされるため、紙又は厚紙の節約が可能になる。
【００４６】
広告文字又は画像が、前記トレイの表面に印刷され得る。
【００４７】
前記トレイ及び前記カップホルダー部は、頑丈に一体的に設けられているため、車の中、又は例えばスタジアムでの膝の上で非常に安定である。
【００４８】
前記トレイは、二つの対向する側壁部を貫く一組のハンドホールを含み得る。
【００４９】
さらに、前記トレイは、（前記側壁部の上端部に設けられた）一つ又は二つの積み重ね突出部及び（前記側壁部の底端部に設けられた）対応する一つ又は二つの積み重ねホールをさらに備えている。それらの対応する積み重ね突出部及び積み重ねホールを用いて、立ち上げられた４つの壁を備えるように組み立てられた複数のトレイが、互いの上に垂直に積み重ね可能となる。
【００５０】
特定の実施形態では、前記トレイは、前記ハンドホールが設けられた前記側壁部に、例えば接着剤を使用して取り付けられた補強層をさらに備えていてもよい。
【００５１】
もちろん、前記トレイは、一つだけカップホルダーを含んでいてもよく、二つだけでもよく、三つだけでもよい。
【００５２】
前記トレイは、一枚の紙又は厚紙が切り抜かれて、本発明に従って折り曲げられることによって作製されてもよい。
【００５３】
特に、前記カップホルダー部は、コーナーの帯状部が部分的に切断されて内側に押されることによって作製される。その寸法及び形状は、デザインの選択に従って変更され得る。
【００５４】
図５に示すように、本発明の特定の実施形態では、前記トレイは、側壁部の上端部に沿って、開放部のみに設けられた強化片をさらに備えていてもよい。前記強化片は、折り畳まれたワイヤであってもよい。
【００５５】
本発明に係るトレイは、ハンバーガーに使用されてもよい。
【００５６】
前記トレイは、プラスチックで一体的に作製されてもよい。このような場合、引っ込み可能なカップホルダーのみが、紙（後で別途）又はプラスチック（一体的に）のような可撓性材料で作製され得る。
【００５７】
図７〜９に示すように、本発明の別の態様は、複数のカップホルダー及び複数のハンドホールを備えたトレイを提供する。より具体的には、前記トレイは、複数の前記側方ハンドホールに加えて、図１〜６に示すように、該トレイの底を貫いて配された複数のハンドホールをさらに備えている。
【００５８】
複数の前記底ハンドホールには、該ハンドホールのまわりに部分的に設けられたミシン目が設けられており、該ミシン目は初めはそのままであり、複数の前記ハンドホールは閉じた状態であり、そのため小さい食べ物のかけらがハンドホールを通って落ちることが防止され得るようになっている。しかしながら、前記ミシン目は、必要なときはいつでも前記ハンドホールが開いた位置になるように破断可能であり、前記トレイの使用者が指を前記ハンドホールに挿入することができ、前記側方ハンドホールを通して一本以上の指を挿入しつつ、前記トレイをより安定に保持させる。
【００５９】
図１〜９に示すように、半固定部が垂直方向途中に延びるように切断されており、該半固定部は前記側壁部の上部半分を覆っており、前記カップホルダー部が、内側に押されて設けられ得るスペースを有し得ることを可能にしている。
【００６０】
そうでない場合、すなわち、前記固定部が垂直方向にいっぱいの長さを有する場合、該固定部が内側から前記側壁を完全に閉塞するため、前記カップホルダーが展開され得なくなる。
【００６１】
前記側方ハンドホールと共に前記底ハンドホールは、食べ物及び飲み物が乗せられたトレイをより安定に保持し又は運搬する手段を提供し得る。
【００６２】
さらに、例えば図１に示すように、前記積み重ね突出部が、前記半固定部の一部から切り抜かれており、そのため、前記トレイの構造を少しも弱めることなく厚紙又は前記トレイの材料が節約され得る。
【００６３】
本発明の一態様は、図１〜９に示すようなトレイを提供する。
【００６４】
トレイ（１００）は、基板部（１）、第１側壁部から第６側壁部（１０〜６０）、及び第１カップホルダー部（７０）を備えている。
【００６５】
基板部（１）は、矩形状であり、上面、底面、及び第１端縁から第４端縁を有している。図１に示すように、食品容器（９００）の食料品は、前記上面の上に置かれ得る。
【００６６】
上部が開口した箱を作製するように、第１側壁部（１０）は基板部（１）の第１端縁から垂直に延びており、第２側壁部（２０）は基板部（１）の第２端縁から垂直に延びており、第３側壁部（３０）は基板部（１）の第３端縁から垂直に延びており、第４側壁部（４０）は基板部（１）の第４端縁から垂直に延びている。
【００６７】
図１に示すように、二つの第５側壁部（５０）のそれぞれが、第２側壁部（２０）の側端縁から垂直に曲げられて延びており、第１側壁部又は第３側壁部（１０、３０）の一部と重なり且つ固定されるように配され、第１コーナー及び第２コーナー（１Ｃ、２Ｃ）を形成している。
【００６８】
図１及び２に示すように、二つの第６側壁部（６０）のそれぞれが、第４側壁部（４０）の側端縁から垂直に曲げられて延びており、第１側壁部（１０）又は第３側壁部の一部と重なり且つ固定されるように配され、第３コーナー及び第４コーナー（３Ｃ、４Ｃ）を形成している。
【００６９】
図３に示すように、第１カップホルダー部（７０）は、第１側壁部及び第２側壁部（１０、２０）の間の第１コーナー（１Ｃ）に配されており、第２側壁部（２０）の一部及び第５側壁部（５０）の一部にわたって水平切抜き（７２）を備えており、水平切抜き（７２）が内側に押されてカップ保持スペースを形成する。
【００７０】
図６に示すように、第１カップホルダー部（７０）の水平切抜き（７２）は、第１コーナー（１Ｃ）の中間高さ部を通して配されており、第５側壁部（５０）から延びている第１区画（７４）と、第２側壁部（２０）から延びている第２区画（７６）と、第１区画及び第２区画（７４、７６）をつなぐ第３区画（７８）とを備えている。もちろん、図６に示すように、全ての４つのコーナーにおいて構造が対称的であり、且つ、第１カップホルダー部（７０）は４つのコーナー（１Ｃ、２Ｃ、３Ｃ、４Ｃ）いずれかにあり得るため、側壁部は、例えば、１０（３０）、４０（２０）、６０（５０）、又は１Ｃ（３Ｃ）に互換的に言及されてもよい。この場合、図６は、鏡に映ったように考えられてもよい。
【００７１】
第１側壁部から第６側壁部（１０〜６０）は、同じ高さであってもよい。もちろん、いくつかの他の実施形態では、それらは異なる高さであってもよい。
【００７２】
水平切抜き（７２）は、第２側壁部（２０）の高さの約３分の１の幅を有していてもよい。
【００７３】
図６に示すように、水平切抜き（７２）が第１側壁部及び第５側壁部（１０、５０）に引っ込められたとき、水平切抜き（７２）の第１区画（７４）と第３区画（７８）との間の境界は、第１側壁部と第２側壁部と（１０、２０）の間の端部側（１Ｃ）にあってもよい。
【００７４】
図６に示すように、折曲線（７５）が、第２区画及び第３区画（７６、７８）の間、第２側壁部（２０）及び第２区画（７６）の間、並びに第５側壁部（５０）及び第１区画（７４）の間に設けられてもよい。
【００７５】
代わりに、図４及び図８に示すように、水平切抜き（７２）が第１側壁部及び第５側壁部（１０、５０）に引っ込められたとき、水平切抜き（７２）の第２区画（７６）と第３区画（７８）との境界が、第１側壁部と第２側壁部と（１０、２０）の間の端部側にあってもよい。
【００７６】
トレイ（１００）は、第１広告表面及び第２広告表面（８０、８２）をさらに備えていてもよい。
【００７７】
第１広告表面（８０）は、第１側壁部（１０）の内側部分に配されており、第１広告表面（８０）は、第１カップホルダー（７０）が展開されたときに露出し、第１カップホルダー部（７０）が引っ込められたときに隠れる。
【００７８】
第２広告表面（８２）は、第５側壁部（５０）の外側部分に配されており、第２広告表面（８２）は、第１カップホルダー（７０）が展開されたときに露出し、第１カップホルダー（７０）が引っ込められたときに隠れる。第１広告表面及び第２広告表面（８０、８２）上に、広告文字又はパターンが印刷され得る。
【００７９】
図８及び９に示すように、第１側壁部（１０）の内側表面は、接着剤によって第５側壁部（５０）の外側表面に固定されてもよい。
【００８０】
トレイ（１００）は、二つの固定板部（９０）をさらに備えていてもよく、各固定板部（９０）は、第１側壁部又は第３側壁部（１０、３０）の上端縁から延びており、第１側壁部又は第３側壁部（１０、３０）並びに第５側壁部及び第６側壁部（５０、６０）に折り重なるように構成されており、例えば図１に示すように、上端縁にて共に束ねられることによって第１側壁部又は第３側壁部（１０、３０）を第５側壁部及び第６側壁部（５０、６０）に固定している。
【００８１】
図１及び３に示すように、二つの固定板部（９０）のそれぞれは、二つの係止突出部（９２）を備えていてもよく、各係止突出部（９２）は、固定板部（９０）の側端縁において横に突き出しており、第１コーナー（１Ｃ）又は第４コーナー（４Ｃ）における第２側壁部及び第４側壁部（２０、４０）を貫いて設けられたスリット（９４）に挿入されるように構成されている。
【００８２】
トレイ（１００）は、二つの積み重ね突出部（９６）及び二つの積み重ねスリット（９８）をさらに備えていてもよい。
【００８３】
二つの積み重ね突出部（９６）のそれぞれは、固定板部（９０）の下端縁から切り抜かれており、垂直に配されている。
【００８４】
二つの積み重ねスリット（９８）のそれぞれは、第１側壁部又は第３側壁部（１０、３０）の下端縁に設けられている。
【００８５】
積み重ね突出部（９６）は、積み重ねられる別のトレイ（不図示）の積み重ねスリット（９８）に挿入されるように構成されており、複数のトレイ（１００）の垂直方向の積み重ねを安定させる。
【００８６】
図７に示すように、トレイ（１００）は、二つの側方ハンドホール（９１）をさらに備えていてもよく、各側方ハンドホール（９１）は、二つの対面する側壁部（１０〜４０）のうちの対応する一つを貫いて設けられている。
【００８７】
図７に示すように、トレイ（１００）は、二つの底ハンドホール（９３）をさらに備えていてもよく、各底ハンドホール（９３）は、使用者が親指を一つの側方ハンドホール（９１）に挿入して別の指を対応する底ハンドホール（９３）に挿入し、トレイ（１００）を安定に保持させるように構成するために、基板部（１）を貫いて設けられている。
【００８８】
二つの側方ハンドホール（９１）及び二つの底ハンドホール（９３）のそれぞれは、完全な穴によって設けられてもよく、図７に示すような部分的な切抜きによって設けられてもよい。
【００８９】
トレイ（１００）は、二つの対面する側壁部（１０及び３０又は２０及び４０）のそれぞれに二本ずつ合計四本の折曲線（９９）をさらに備えていてもよく、各折曲線（９９）は、図４及び８に示すようにトレイ（１００）が平らに折り畳まれるように、対応する下側のコーナーから対応する上端縁までに約４５°で設けられている。
【００９０】
本発明の特定の実施形態では、図２に示すように、トレイ（１００）は、第２コーナー、第３コーナー又は第４コーナー（２Ｃ、３Ｃ、４Ｃ）に第２カップホルダー部、第３カップホルダー部又は第４カップホルダー部（７０）をさらに備えていてもよい。複数のカップ及び複数のヌードルスープのカップがそこに安定に保持され得る。
【００９１】
本発明が異なる実施形態を参照して示され、説明されたが、添付の特許請求の範囲によって定義される本発明の趣旨及び範囲から逸脱しないように、形状、詳細、構成及び作用における変更がなされてもよいことが当業者によって理解されるであろう。
【図１】
2019531232.tif 000003
【図２】
2019531232.tif 000004
【図３】
2019531232.tif 000005
【図４】
2019531232.tif 000006
【図５】
2019531232.tif 000007
【図６】
2019531232.tif 000008
【図７】
2019531232.tif 000009
【図８】
2019531232.tif 000010
【図９】
2019531232.tif 000011
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
矩形状であり且つ上面、底面及び第１端縁から第４端縁を含む基板部と、
前記基板部の前記第１端縁から垂直に延びている第１側壁部と、
前記基板部の前記第２端縁から垂直に延びている第２側壁部と、
前記基板部の前記第３端縁から垂直に延びている第３側壁部と、
前記基板部の前記第４端縁から垂直に延びている第４側壁部と、
二つの第５側壁部であって、それぞれが前記第２側壁部の側端縁から垂直に曲げられて延びており、前記第１側壁部又は前記第３側壁部の一部と重なり且つ固定されるように配され、第１コーナー及び第２コーナーを形成している、二つの第５側壁部と、
二つの第６側壁部であって、それぞれが前記第４側壁部の側端縁から垂直に曲げられて延びており、前記第１側壁部又は前記第３側壁部の一部と重なり且つ固定されるように配され、第３コーナー及び第４コーナーを形成している、二つの第６側壁部と、
前記第１側壁部及び前記第２側壁部の間の前記第１コーナーに配されており、前記第２側壁部の一部及び前記第５側壁部の一部にわたって水平切抜きを備えた第１カップホルダー部であって、該水平切抜きが内側に押されてカップ保持スペースを形成する、第１カップホルダー部と、を備えたトレイであって、
前記第１カップホルダー部の前記水平切抜きが、前記第１コーナーの中間高さ部を通して配されており、
前記水平切抜きは、前記第５側壁部から延びている第１区画と、前記第２側壁部から延びている第２区画と、前記第１区画及び前記第２区画をつなぐ第３区画とを備えている、トレイ。
【請求項２】
前記第１側壁部から前記第６側壁部が、同じ高さである、請求項１に記載のトレイ。
【請求項３】
前記水平切抜きが、前記第２側壁部の高さの３分の１の幅を有している、請求項２に記載のトレイ。
【請求項４】
前記水平切抜きが前記第１側壁部及び前記第５側壁部に引っ込められたとき、前記水平切抜きの前記第１区画と前記第３区画との間の境界が、前記第１側壁部と前記第２側壁部との間の端部側にある、請求項１に記載のトレイ。
【請求項５】
前記第２区画及び前記第３区画の間、前記第２側壁部及び前記第２区画の間、並びに前記第５側壁部及び前記第１区画の間に、折曲線が設けられている、請求項４に記載のトレイ。
【請求項６】
前記水平切抜きが前記第１側壁部及び前記第５側壁部に引っ込められたとき、前記水平切抜きの前記第２区画と前記第３区画との間の境界が、前記第１側壁部と前記第２側壁部との間の端部側にある、請求項１に記載のトレイ。
【請求項７】
前記第１側壁部の内側部分上の第１広告表面であって、前記第１カップホルダー部が展開されたときに露出し、前記第１カップホルダー部が引っ込められたときに隠れる、第１広告表面と、
前記第５側壁部の外側部分上の第２広告表面であって、前記第１カップホルダー部が展開されたときに露出し、前記第１カップホルダー部が引っ込められたときに隠れる、第２広告表面と、
をさらに備えている請求項１に記載のトレイ。
【請求項８】
前記第１側壁部の内側表面が、接着剤によって前記第５側壁部の外側表面に固定されている、請求項１に記載のトレイ。
【請求項９】
二つの固定板部をさらに備えており、該二つの固定板部のそれぞれは、前記第１側壁部又は前記第３側壁部の上端縁から延びており、前記第１側壁部又は前記第３側壁部並びに前記第５側壁部及び前記第６側壁部に折り重なっており、前記第１側壁部又は前記第３側壁部を前記第５側壁部及び前記第６側壁部に固定している、請求項１に記載のトレイ。
【請求項１０】
前記二つの固定板部のそれぞれが、二つの係止突出部を備えており、該二つの係止突出部のそれぞれは、前記固定板部の側端縁において横に突き出しており、前記第１コーナー又は前記第４コーナーにおける前記第２側壁部及び前記第４側壁部を貫いて設けられたスリットに挿入されるように構成されている、請求項９に記載のトレイ。
【請求項１１】
前記固定板部の下端縁から切り抜かれて垂直に配された二つの積み重ね突出部と、
前記第１側壁部又は前記第３側壁部の下端縁に設けられた二つの積み重ねスリットと、をさらに備え、
前記積み重ね突出部が、積み重ねられる別のトレイの前記積み重ねスリットに挿入されるように構成されており、複数のトレイの垂直の積み重ねを安定させる、請求項９に記載のトレイ。
【請求項１２】
二つの側方ハンドホールをさらに備え、側方ハンドホールのそれぞれは、二つの対面する側壁部のうちの対応する一つを貫いて設けられている、請求項１に記載のトレイ。
【請求項１３】
二つの底ハンドホールをさらに備え、該底ハンドホールのそれぞれは、使用者が親指を一つの側方ハンドホールに挿入し且つ別の指を対応する底ハンドホールに挿入して前記トレイを安定に保持するように構成するために、前記基板部を貫いて設けられている、請求項１２に記載のトレイ。
【請求項１４】
前記二つの側方ハンドホール及び前記二つの底ハンドホールそれぞれが、完全な穴又は部分的な切抜きによって設けられている、請求項１３に記載のトレイ。
【請求項１５】
前記トレイが平らに折り畳まれるように、二つの対面する側壁部それぞれに二本ずつ合計四本の折曲線をさらに備え、各折曲線が、対応する下側のコーナーから対応する上端縁にまで４５°で設けられている、請求項１に記載のトレイ。
【請求項１６】
第２コーナー、第３コーナー又は第４コーナーに、第２カップホルダー部、第３カップホルダー部又は第４カップホルダー部をさらに備えている、請求項１に記載のトレイ。
【手続補正２】
【補正対象書類名】明細書
【補正対象項目名】００１８
【補正方法】変更
【補正の内容】
【００１８】
折曲線が、前記第２区画及び前記第３区画の間、前記第２側壁部及び前記第２区画の間並びに前記第５側壁部及び前記第１区画の間に設けられてもよい。
【手続補正３】
【補正対象書類名】明細書
【補正対象項目名】００３７
【補正方法】変更
【補正の内容】
【００３７】
【図１】図１は、本発明の一実施形態に係る、アルミニウム箔容器を備えたトレイを示す図である。
【図２】図２は、本発明の別の実施形態に係る、中に三つのカップを備えたトレイを示す図である。
【図３】図３は、本発明の一実施形態に係るカップホルダーを外側から示す図である。
【図４】図４は、本発明の一実施形態に係る部分的に折り畳まれたトレイを示す図である。
【図５】図５は、本発明の一実施形態に係る、外側から見た際の、展開されたカップホルダーを備えたトレイのコーナーを示す図である。
【図６】図６は、本発明の一実施形態に係る、内側から見た際の、展開されたカップホルダーを備えたトレイのコーナーを示す別の図である。
【図７】図７は、本発明の一実施形態に係る、複数のカップホルダー及び複数のハンドホールを備えたトレイを示す図である。
【図８】図８は、図２の複数のカップホルダー及び複数のハンドホールを備えた折り畳み可能なトレイの別の斜視図であり、該トレイが半分折り畳まれている。
【図９】図９は、図２の複数のカップホルダー及び複数のハンドホールを備えた折り畳み可能なトレイの別の斜視図であり、該トレイが完全に折り畳まれている。
【国際調査報告】
2019531232.tif 000012
2019531232.tif 000013
2019531232.tif 000014